(57)【要約】【課題】患者の生体情報を遠隔で医師が閲覧してアドバイスを伝え、患者と医師にとって効率のよい健康管理支援システムを提供することを目的とする。【解決手段】患者用端末装置２は患者の生体情報を、通信ネットワーク４を介してデータベースサーバ装置３に転送し、データベースサーバ装置３では雛形メッセージ生成手段１８が生体情報から自動で雛形メッセージを生成する。医師は医師用端末装置１のメッセージ編集手段７で生成された雛形メッセージを基にメッセージを編集し、編集されたメッセージはデータベースサーバ装置３に格納され、患者は患者用端末装置２の表示手段１２で医師からのメッセージを閲覧できる。したがって、医師は自動で生成された雛形メッセージに一部手を加えるだけの編集作業でメッセージを作成でき、医師の効率を上げることができる。【選択図】  図１
2004187761.tif 000002
【特許請求の範囲】
【請求項１】
通信ネットワークを介して接続された医師用端末装置と患者用端末装置とデータベースサーバ装置を備え、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを編集するメッセージ編集手段とを有し、前記データベースサーバ装置は患者用端末装置から生体情報を受信して格納する生体情報格納手段と、前記生体情報格納手段に格納された生体情報から自動で雛形メッセージを生成する雛形メッセージ生成手段と、医師用端末装置から編集されたメッセージを受信して格納するメッセージ格納手段を有し、前記メッセージ編集手段は前記雛形メッセージ生成手段で生成された雛形メッセージに基づき編集する健康管理支援システム。
【請求項２】
雛形メッセージ生成手段は複数の雛形メッセージを保存する雛形メッセージ保存手段と、生体情報格納手段に格納された生体情報から前記雛形メッセージを抽出する複数の抽出ルールを有し、前記生体情報から前記抽出ルールに適合する前記雛形メッセージを抽出することで雛形メッセージを生成する請求項１に記載の健康管理支援システム。
【請求項３】
雛形メッセージは警告の意味を持つメッセージと、称賛の意味を持つメッセージを含む請求項１に記載の健康管理支援システム。
【請求項４】
データベースサーバ装置は、医師用端末装置でメッセージ編集手段として動作するスクリプトを格納するメッセージ編集ツール格納手段を有し、医師用端末装置は前記データベースサーバ装置よりメッセージ編集スクリプトを受信する請求項１に記載の健康管理支援システム。
【請求項５】
生体情報入力手段は生体情報測定器を有し、測定した生体情報を有線または無線の通信により入力する請求項１に記載の健康管理支援システム。
【発明の詳細な説明】
【０００１】
【発明の属する技術分野】
本発明は、医師用端末装置、患者用端末装置を、通信ネットワークを介して接続して構成し、患者の生体情報を医師用端末装置で閲覧した医師が、患者に対してアドバイスメッセージを作成し、患者用端末装置でそのアドバイスメッセージを閲覧する健康管理支援システムに関するものである。
【０００２】
【従来の技術】
従来、医師は体温や血圧、血糖などの患者の生体情報を基に判断し、患者に対して投薬などの治療行為を行ったり、生活改善を促すなどしていた。近年、高血圧症、糖尿病、肥満などの生活習慣病患者の増加が問題となっていて、これら生活習慣病は、初期段階では多くの場合、日常の生活習慣を改善することで良化できる。
【０００３】
また、従来は医師が患者と直接対面することにより診療を行ってきたのに対し、通信技術の発達により離れた場所にいる患者を通信回線経由で診療するシステムが実用化されつつある（例えば、特許文献１参照）。即ち、患者は在宅で自分の生体情報を測定し、その測定結果を、パソコン等を用いて通信回線経由で医師に送信し、一方、医師は送信されてきた患者の生体情報を閲覧して、患者に対するアドバイスメッセージを作成し、電子メール等の手段で患者に送信し、患者は医師から送信されてきたアドバイスメッセージを閲覧することでその指示に従い、生活習慣を改善するというものである。
【０００４】
特に、高血圧症、糖尿病、肥満などの生活習慣病は、投薬などの治療行為よりも生活習慣を医師の指導の下、適切に改善することが重要な症例に対しては、上記のような通信回線を利用した遠隔での診療システムは効率が良く効果が大きい。
【０００５】
【特許文献１】
特開平９−１６０６４号公報
【０００６】
【発明が解決しようとする課題】
しかしながら、これらの従来技術のシステムにおいては、医師が一人一人の患者に対してそれぞれアドバイスメッセージを作成しなければならず、医師の負担が大きい。すなわち、医師は指示入力用ウィンドウにワープロソフト等を使用して入力している。遠隔での診療システムは患者が病院等へ行かず在宅でも診療を受けることができ効率が上がるものの、医師にとっては、患者の生体情報を閲覧して患者に対しアドバイスメッセージをワープロソフト等で入力していたのでは、効率が上がることにならない。むしろ直接対面して口頭で患者にアドバイスすることより効率を下げることにもなる。その結果、生体情報が警戒レベルを超えたような危険なときにだけアドバイスを作成するようなこととなり、警戒レベルを超えない患者は全くアドバイスを受け取らないこともあり、日常的な生活指導は困難であった。
【０００７】
本発明は、上記従来の課題を解決するもので、通信ネットワークを使って、患者にとっても医師にとっても効率があがり、効果のある健康管理支援システムを提供することを目的とするものである。
【０００８】
【課題を解決するための手段】
前記目的を達成するために、本発明の健康管理支援システムは、医師用端末装置は患者へのメッセージを編集するメッセージ編集手段を有し、データベースサーバ装置は生体情報格納手段に格納された生体情報から自動で雛形メッセージを生成する雛形メッセージ生成手段を有し、前記メッセージ編集手段は前記雛形メッセージ生成手段で生成された雛形メッセージに基づき編集する構成としたものである。
【０００９】
これによって、医師は雛形メッセージ生成手段で自動的に生成された雛形メッセージをメッセージ編集手段で編集することで患者に送信するためのメッセージを作成することができ、患者にとっても医師にとっても効率が上がり効果のある健康管理支援システムを提供することができる。
【００１０】
【発明の実施の形態】
請求項１に記載の発明は、通信ネットワークを介して接続された医師用端末装置と患者用端末装置とデータベースサーバ装置を備え、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを編集するメッセージ編集手段とを有し、前記データベースサーバ装置は患者用端末装置から生体情報を受信して格納する生体情報格納手段と、前記生体情報格納手段に格納された生体情報から自動で雛形メッセージを生成する雛形メッセージ生成手段と、医師用端末装置から編集されたメッセージを受信して格納するメッセージ格納手段を有し、前記メッセージ編集手段は前記雛形メッセージ生成手段で生成された雛形メッセージに基づき編集する健康管理支援システムとしたことにより、患者用端末装置は生体情報入力手段により患者から生体情報を受け、通信ネットワークを介してデータベースサーバ装置に転送し、生体情報格納手段に格納する。データベースサーバ装置では雛形メッセージ生成手段が生体情報格納手段に格納された生体情報から自動で雛形メッセージを生成する。医師は医師用端末装置の表示手段で生体情報格納手段に格納された患者の生体情報を閲覧し、メッセージ編集手段で生成された雛形メッセージを基にメッセージを編集できる。編集されたメッセージはデータベースサーバ装置のメッセージ格納手段に格納され、患者は患者用端末装置の表示手段でメッセージ格納手段に格納された医師からのメッセージを閲覧できる。したがって、医師は自動で生成された雛形メッセージに一部手を加えるだけの編集作業でメッセージを作成でき、医師の効率を上げることができる。
【００１１】
請求項２に記載の発明は、雛形メッセージ生成手段は複数の雛形メッセージを保存する雛形メッセージ保存手段と、生体情報格納手段に格納された生体情報から前記雛形メッセージを抽出する複数の抽出ルールを有し、前記生体情報から前記抽出ルールに適合する前記雛形メッセージを抽出することで雛形メッセージを生成する請求項１に記載の健康管理支援システムとしたことにより、雛形メッセージ生成手段は雛形メッセージ保存手段に保存された複数の雛形メッセージから、抽出ルールに適合した雛形メッセージを抽出するので、患者の生体情報に適合した雛形メッセージを自動的に生成することができる。
【００１２】
請求項３に記載の発明は、雛形メッセージは警告の意味を持つメッセージと、称賛の意味を持つメッセージを含む請求項１に記載の健康管理支援システムとしたことにより、患者の生体情報が警戒レベルになくむしろ良化する方向に向かっているときにも、それを称賛するメッセージを自動で生成でき、良化をさらに促進できる。
【００１３】
請求項４に記載の発明は、データベースサーバ装置は、医師用端末装置でメッセージ編集手段として動作するスクリプトを格納するメッセージ編集ツール格納手段を有し、医師用端末装置は前記データベースサーバ装置よりメッセージ編集スクリプトを受信する請求項１に記載の健康管理支援システムとしたことにより、医師用端末装置はデータベースサーバ装置からメッセージ編集ツール格納手段に格納されているメッセージ編集スクリプトを受信し、受信したメッセージ編集スクリプトを実行することでメッセージ編集手段として機能するので、医師用端末装置は予めメッセージ編集手段を備えた専用装置でなく、パーソナルコンピュータのような汎用的な装置を医師用端末装置として使うことができ、汎用性を高めることができる。
【００１４】
請求項５に記載の発明は、生体情報入力手段は生体情報測定器を有し、測定した生体情報を有線または無線の通信により入力する請求項１に記載の健康管理支援システムとしたことにより、生体情報測定器で測定した生体情報は有線または無線の通信により自動的に患者用端末装置に入力されるので、患者の手間が省け使い勝手が向上するとともに、誤った入力がなくなり、入力された生体情報の信頼性が高まり、医師は正しい生活指導をできる効果がある。
【００１５】
【実施例】
以下本発明の実施例について、図面を参照しながら説明する。図１は本発明の実施例における健康管理支援システムの構成を示す。
【００１６】
図に示すように、医師用端末装置１と、患者用端末装置２と、データベースサーバ装置３とが、例えばＬＡＮ、公衆電話網、インターネットなどの通信ネットワーク４を介して接続されている。ここで、医師用端末装置１、患者用端末装置２は、同様に構成された複数の装置が接続されているが、便宜上各１台が接続された構成で説明する。
【００１７】
医師用端末装置１は、例えば通信機能を有するパーソナルコンピュータにてなり、患者の生体情報の表示、患者に対するメッセージの作成を含む処理を実行する。また、患者用端末装置２は、例えば通信機能を有するパーソナルコンピュータにてなり、患者の生体情報の入力、医師から送られるメッセージの表示などの処理を実行する。さらに、データベースサーバ装置３は、例えば通信機能を有するコンピュータにてなり、医師用端末装置１、患者用端末装置２との間で、患者の生体情報、医師から患者に送られるメッセージなどを送受信し格納する。またデータベースサーバ装置３は、患者用端末装置３から送られてきた生体情報を基に自動で雛形メールを生成する。さらに、医師用端末装置２にてメッセージ編集手段として実行されるメッセージ編集のためのスクリプトプログラムを格納している。
【００１８】
そして、医師用端末装置１は、キーボードやマウスなどからなる入力手段５、液晶ディスプレイなどの表示手段６、患者に対するメッセージを編集するためのスクリプトからなるメッセージ編集手段７、通信ネットワーク４を介してデータベースサーバ装置３とデータを送受信するための通信手段８、送受信データや入力データを格納するメモリ９と、それらを制御する制御手段１０を含む構成としている。
【００１９】
患者用端末装置２は、血圧や体重、血糖値などの生体情報を入力するための生体情報入力手段１１、液晶ディスプレイなどの表示手段１２、通信ネットワーク４を介してデータベースサーバ装置３とデータを送受信するための通信手段１３と、送受信データや入力データを格納するメモリ１４と、それらを制御する制御手段１５を含み、生体情報入力手段１１はマウスやキーボードの他に、血圧計、体温計、血糖計などの生体情報測定器１６を含み、生体情報測定器１６からは光信号などの無線通信、または電圧信号などの有線通信で測定値を自動的に入力できる。
【００２０】
データベースサーバ装置３は、医師用端末装置１や患者用端末装置２から送信されてきたデータを受信して格納し、また医師用棚末装置１や患者用端末装置２にデータを送信する。そして、患者用端末装置２から送信されてくる生体情報を格納するための生体情報格納手段１７、生体情報格納手段１７に格納されている生体情報に基づき雛形メールを生成する雛形メッセージ生成手段１８、医師用端末装置１から送信されてくるメッセージを格納するためのメッセージ格納手段１９、医師用端末装置１に送信するためのメッセージ編集手段７を格納するメッセージ編集ツール格納手段２０、通信ネットワーク４を介して医師用端末装置１や患者用端末装置２とデータを送受信するための通信手段２１と、それらを制御する制御手段２２を含む。そして、雛形メッセージ生成手段１８には複数の雛形メッセージを保存する雛形メッセージ保存手段２３と、生体情報から雛形メッセージを抽出するための抽出ルール２４を含んでいる。ここで、メッセージ編集ツール格納手段２０に格納されているメッセージ編集手段７は、医師用端末装置１に送信して、医師用端末装置１で実行されるスクリプトであり、前記した医師用端末装置１のメッセージ編集手段７と同様のものである。図１では、データベースサーバ装置３からメッセージ編集手段７を医師用端末装置１に送信した後、医師用端末装置１にもメッセージ編集手段７が存するものとして構成を説明している。
【００２１】
図２により、雛形メッセージ生成手段１８の内部構成を説明する。予め登録されている複数の雛形メッセージを保存している雛形メッセージ保存手段２３、各雛形メッセージを抽出するための複数の抽出ルール２４、抽出ルール２４により抽出された雛形メッセージを格納する雛形メッセージ格納手段２５を含む構成である。
【００２２】
この構成において、雛形メッセージ保存手段２３には複数の雛形メッセージの題名と内容がセットで登録されている。雛形メッセージとは、例えば「Ｎｏ．１、題名：血圧高く要注意、内容：食事の内容に十分注意して下さい。塩分控えめの食事を心がけて下さい。」というようなものである。また、抽出ルール２４には、前記各雛形メッセージを抽出するルールが記されている。抽出ルールとは、例えば「最高血圧が３日連続１５０以上であればＮｏ．１の雛形メッセージを抽出する」というもので、データベースサーバ装置３の制御手段２２が実行可能な言語で記されている。
【００２３】
図３は、医師用端末装置１の制御手段１０によって実行される医師用端末処理を示す。この医師用端末処理において、入力とは医師によりキーボードやマウスよりなる入力手段５を用いたデータ又は数値の入力である。また表示とは液晶ディスプレイなどの表示手段６に表示することである。
【００２４】
図３のステップＳ１において、まず医師コードおよびパスワードを入力し、ステップＳ２において認証はＯＫであるか否かが判断され、すなわち、入力された医師コードおよびパスワードのデータが、予め入力されて登録された認証データと一致するか否かが判断され、ＮＯのときはステップＳ１に戻る一方、ＹＥＳのときはステップＳ３に進む。ステップＳ３以下においては、以下の選択肢を有する図７のメニュー画面を表示し、操作者である医師はこれらの選択肢から１つを選択することにより処理を選択する。
【００２５】
（ａ）生体情報の閲覧
（ｂ）メッセージ作成
（ｃ）処理終了
まず、ステップＳ３において生体情報閲覧が選択されたか否かが判断され、ＹＥＳのときはステップＳ４に進み、生体情報閲覧処理を実行した後、ステップＳ５に進む一方、ステップＳ３でＮＯのときはそのままステップＳ５に進む。次いでステップＳ５においてメッセージ作成が選択されたか否かが判断され、ＹＥＳのときはステップＳ６に進み、メッセージ作成処理を実行した後、ステップＳ７に進む一方、ステップＳ５でＮＯのときはそのままステップＳ７に進む。さらにステップＳ７において終了処理が選択されたか否かが判断され、ＮＯのときはステップＳ３に戻る一方、ＹＥＳのときは当該医師用端末処理を終了する。
【００２６】
図４は、図３のサブルーチンである患者の生体情報閲覧処理（ステップＳ４）を示すものであり、医師用端末装置１とデータベースサーバ装置３とのデータの送受信を含めて説明する。
【００２７】
図４において、医師用端末装置１は、ステップＳ１１で、まず、例えば図８に示すような画面を表示する。ここではまだ患者が選択されていないので、患者選択のために、図８に示す上部だけが表示される。そして、ステップＳ１２で医師は患者を選択する。ステップＳ１３において、医師用端末装置１はデータベースサーバ装置３に選択された患者に関連付けられている患者コードを送信する。一方、データベースサーバ装置３はステップＳ１４で患者コードを受信し、ステップＳ１５で受信した患者コードの患者の生体情報を生体情報格納手段１７より抽出し、ステップＳ１６で抽出した生体情報を医師用端末装置１に送信する。
【００２８】
医師用端末装置１は、ステップＳ１７で生体情報を受信しメモリ８に一時的に格納し、ステップＳ１８で画面に表示する。表示は、例えば図８に示す画面の下部のような日付と生体情報の表として表示する。そして、ステップＳ１９において、処理終了が選択されると処理を終了する一方、選択されなければステップＳ１１に戻って処理を繰り返す。
【００２９】
図５は、図３のサブルーチンであるメッセージ編集処理（ステップＳ６）を示すものであり、医師用端末装置１とデータベースサーバ装置３とのデータの送受信を含めて説明する。
【００３０】
図５において、医師用端末装置１は、ステップＳ２１でまず内部にメッセージ編集手段７を持っているかどうかを判断する。ＹＥＳのときはステップＳ２６へジャンプする一方、ＮＯのときはステップＳ２２に進む。ステップＳ２２ではデータベースサーバ装置３にメッセージ編集手段７の要求信号を送信する。一方、データベースサーバ装置３は、ステップＳ２３でメッセージ編集手段要求信号を受信すると、ステップＳ２４で医師用端末装置１にメッセージ編集手段７を送信する。そして、医師用端末装置１はステップＳ２５でメッセージ編集手段７を受信する。
【００３１】
次に、医師用端末装置１は、ステップＳ２６でデータベースサーバ装置３に雛形メッセージの要求信号を送信する。データベースサーバ装置３はステップＳ２７で雛形メッセージ要求信号を受信し、ステップＳ２８で雛形メッセージ格納手段２５に格納されている雛形メッセージを医師用端末装置１に送信する。医師用端末装置１はステップＳ２９で雛形メッセージを受信する。
【００３２】
次に、医師用端末装置１は、ステップＳ３０で例えば図９の自動生成メッセージリストに示すような雛形メッセージ一覧を表示し、ステップＳ３１で例えば図９に示すようなメッセージ編集画面を表示する。そして、ステップＳ３２で医師により雛形メッセージが選択されたかを判断し、ＹＥＳのときはステップＳ３３に進む一方、ＮＯのときはステップＳ３４に進む。ステップＳ３３では選択された雛形メッセージを編集画面に表示しステップＳ３５にジャンプする。ステップＳ３４では、医師は患者名を選択し、ステップＳ３５に進む。
【００３３】
次に、医師はステップＳ３５でメッセージを編集する。ここで雛形メッセージを選択してステップＳ３５に至った場合は、既にメッセージのタイトルや内容が既に表示されていて、それを基に追加や修正などの編集を行う。また患者名選択からステップＳ３５に至った場合はタイトルや内容が空白であり、その空白状態から編集、即ち作成を行う。
【００３４】
次に、医師用端末装置１はステップＳ３６で送信ボタンを押されたかどうかを判断し、ＹＥＳであればステップＳ３７に進む一方、ＮＯであればステップＳ４０にジャンプする。ステップＳ３７では患者コードと編集されたメッセージをデータベースサーバ装置３に送信する。一方、データベースサーバ装置３はステップＳ３８で患者コードとメッセージを受信し、ステップＳ３９で受信したメッセージをメッセージ格納手段１９に格納する。また、医師用端末装置１はステップＳ４０で処理終了が選択されたかどうかを判断し、ＹＥＳであれば、処理を終了する一方、ＮＯであればステップＳ３２に戻って処理を繰り返す。
【００３５】
図６は患者用端末装置２によって実行される患者用端末処理を示すものであり、データベースサーバ装置３との送受信を含めて示している。この患者用端末処理において、表示とは液晶ディスプレイなどの表示手段１２に出力して表示することをいう。
【００３６】
図６のステップＳ４１において、患者はまず患者用端末装置２で患者コードとパスワードを入力し、患者用端末装置２はステップＳ４２において入力された患者コードとパスワードが予め登録されている認証データと一致しているかどうか、即ち認証はＯＫかどうかが判断され、ＹＥＳのときはステップＳ４３に進む一方、ＮＯのときはステップＳ４１に戻る。ステップＳ４３において、データベースサーバ装置３にメッセージの要求信号を送信する。一方、データベースサーバ装置３はステップＳ４４でメッセージ要求信号を受信すると、ステップＳ４５においてメッセージ格納手段１９に格納されているメッセージのうち該当患者に対するメッセージを患者用端末装置２に送信する。患者用端末装置２はステップＳ４６でデータベースサーバ装置３からメッセージを受信し、ステップＳ４７で例えば図１０に示すような患者端末処理用画面を表示する。
【００３７】
更に、患者用端末装置２はステップＳ４８にて生体情報入力を選択されたかどうかが判断され、ＹＥＳのときはステップＳ４９で患者は生体情報の入力を行う。生体情報の入力は図示しない別画面で行うものであり、通信可能な生体情報測定器であれば自動で測定結果を患者用端末装置２が受信し、そうでなければマウスやキーボードなどの入力手段を使って入力する。そして、ステップＳ５０でデータベースサーバ装置３に測定した生体情報を送信する。一方、データベースサーバ装置３はステップＳ５１で生体情報を受信し、ステップＳ５２で受信した生体情報を生体情報格納手段１７に格納する。患者用端末装置２はステップＳ５３で処理終了が選択されたかどうかを判断し、ＹＥＳのときは処理を終了し、ＮＯであればステップＳ４８にジャンプして処理を繰り返す。
【００３８】
一方、データベースサーバ装置３は、ステップＳ５４にてカウンタＩを１から抽出ルールの数であるｎまでカウントする。そして、ステップＳ５５で生体情報がＩ番目の抽出ルールに該当するかどうかを判断し、ＹＥＳの場合はステップＳ５６に進む一方、ＮＯの場合はステップＳ５４に戻りカウンタを＋１する。ステップＳ５６では抽出ルールに関連付けられた雛形メッセージを雛形メッセージ保存手段２３から抽出し、雛形メッセージ格納手段２５に格納して、ステップＳ５４に戻りカウンタを＋１する。これをｎ回繰り返すことで、全ての抽出ルールについて該当するかどうかをチェックする。
【００３９】
次に、医師用端末装置１の画面例について説明する。図７は医師用端末装置１のメニュー画面の例である。医師用端末装置１には「生体情報の閲覧」、「メッセージ作成」、「処理終了」の各メニューがあり、その項目が表示されていて、それぞれの項目に対応したボタン２６、２７、２８が表示されている。このいずれかのボタンをマウス等の入力手段５でクリックすることにより、選択された処理に移行するものである。
【００４０】
図８は医師用端末装置１の患者生体情報閲覧の画面例である。図８において、２９は患者名選択欄で、登録されているすべての患者が表示されている。医師はその中から生体情報を閲覧すべき患者を選択する。３０は患者名選択ボタンであり、医師は患者名選択欄２９で患者名を選択し、患者名選択ボタン３０をマウスなどの入力手段５でクリックすることで選択した患者名が確定する。３１は生体情報表示欄であり、患者名選択欄２９で医師により選択された患者の生体情報が、登録された日付とともに一覧表示される。３２は処理終了ボタンであり、このボタンをクリックすることで生体情報閲覧の処理を終了する。
【００４１】
図９は医師用端末装置１のメッセージ作成画面の例である。３３は患者名選択欄で登録されているすべての患者が表示されている。また、３４は自動生成メッセージリスト欄であり、対象となる全ての患者についてデータベースサーバ装置３で抽出された雛形メッセージの一覧が表示されている。そして、３５は送信先欄で、送信先である患者名が表示される。３６はタイトル欄、３７はメッセージ欄で、それぞれメッセージのタイトル、内容が表示され、また編集することができる。
【００４２】
医師は、自動生成メッセージリスト欄３４から一つを選択すると、そのメッセージの患者名が送信先欄３５に、タイトルがタイトル欄３６に、内容がメッセージ欄３７に表示され、それを基に編集する。例えばメッセージの内容に当該患者特有の内容である「前回お会いしたときには．．．」や「もうすぐ誕生日ですね」などを付け加えたりすることで、単に機械的に作られたメッセージでなく人間味があり、読む患者にとっては親近感があり説得力を増すことができる。
【００４３】
一方、自動生成メッセージリストを使わない場合は、患者名選択欄３３で患者名を選択すると送信先欄３５に患者名が表示され、タイトル欄３６、メッセージ欄３７は空白になっているので、一から作成することも可能である。３８は送信ボタンであり、マウス等の入力手段５でクリックすることにより、送信先欄３５で表示されている患者に、タイトル欄３６に表示されたタイトル、メッセージ欄３７に表示されたメッセージが、データベースサーバ装置３に送信される。３９は処理終了ボタンであり、このボタンをクリックすることでメッセージ作成の処理を終了する。
【００４４】
図１０は患者用端末装置２の画面の例である。４０は生体情報選択ボタン群であり、測定項目である血圧、体重、血糖、体温、脈拍などに対応したボタンを備えている。患者はこれらのボタンのいずれかを選択することで、各測定項目に対応した図示しない別画面が起動し、患者は生体情報入力手段１１により生体情報を入力する。生体情報入力手段１１は生体情報測定器１６で測定したデータが通信で自動的に入力するか、または、キーボードやマウス、タッチパネルなどを使って入力する。また、４１はメッセージ表示欄であり、医師により作成されデータベースサーバ装置３のメッセージ格納手段１９に格納されている当該患者宛のメッセージを受信して、その全てを時系列に表示している。図に示すように、表示はタイトルと内容の他、送信者である医師の名前と、送信された日付を含めて表示するものである。４２は処理終了ボタンであり、患者用端末処理を終了する。
【００４５】
【発明の効果】
以上のように、本発明の健康管理支援システムによれば、医師が患者に対してアドバイスメッセージを容易に作成して、患者に伝えることができるので、患者が病院等へ行って直接医師と対面しなくても遠隔で健康管理ができ効率が上がるだけでなく、医師も簡単にアドバイスを作成して伝えることができて、両者にとって効率が上がり、効果のある健康管理支援システムを提供することができる。また自動で生成されたメッセージに対して医師が編集を加えるので、自動で生成されたメッセージの妥当性を確認することができる上に、当該患者特有の内容に追加、修正することもでき、患者にとっては親近感を持つことができて、メッセージの説得力も高まり生活改善の効果は増す。
【図面の簡単な説明】
【図１】本発明の実施例における健康管理支援システムの構成を示すブロック図
【図２】同実施例における雛形メッセージ生成手段の内部構成図
【図３】同実施例における医師用端末装置で実行される医師用端末処理を示すフローチャート
【図４】同実施例における医師用端末装置で実行される医師用端末処理のサブルーチンである生体情報閲覧処理を示すフローチャート
【図５】同実施例における医師用端末装置で実行される医師用端末処理のサブルーチンであるメッセージ作成処理を示すフローチャート
【図６】同実施例における患者用端末装置で実行される患者用端末処理を示すフローチャート
【図７】同実施例における医師用端末装置の画面例であってメニュー画面を示す図
【図８】同実施例における医師用端末装置の画面例であって生体情報閲覧画面を示す図
【図９】同実施例における医師用端末装置の画面例であってメッセージ作成画面を示す図
【図１０】同実施例における患者用端末装置の画面例を示す図
【符号の説明】
１  医師用端末装置
２  患者用端末装置
３  データベースサーバ装置
４  通信ネットワーク
５  入力手段
６  （医師用端末装置の）表示手段
７  メッセージ編集手段
１１  生体情報入力手段
１２  （患者用端末装置の）表示手段
１６  生体情報測定器
１７  生体情報格納手段
１８  雛形メッセージ生成手段
１９  メッセージ格納手段
２０  メッセージ編集ツール格納手段
２３  雛形メッセージ保存手段
２４  抽出ルール
【図１】
2004187761.tif 000003
【図２】
2004187761.tif 000004
【図３】
2004187761.tif 000005
【図４】
2004187761.tif 000006
【図５】
2004187761.tif 000007
【図６】
2004187761.tif 000008
【図７】
2004187761.tif 000009
【図８】
2004187761.tif 000010
【図９】
2004187761.tif 000011
【図１０】
2004187761.tif 000012